(57)【要約】【課題】  情報記録装置において、使い勝手の良いユーザインタフェースメニューを作成する。【解決手段】  記録単位の代表画像の縮小画像の一覧が表示され、その縮小画像が選択され決定されるとその記録単位が再生されるようなユーザインタフェースメニュー情報を、一時管理情報とＡＶストリームから作成し、記録媒体に記録するようにする。【選択図】  図１
2006271011.tif 000002
【特許請求の範囲】
【請求項１】
オーディオ情報、ビデオ情報を符号化して記録媒体に記録し、オーディオ符号化情報、ビデオ符号化情報を復号する情報処理手段と、記録単位ごとの一時管理情報を前記記録媒体に対して読み書きをする一時管理情報処理手段と、すべての記録単位の管理情報を作成して前記記録媒体に書き込みをする管理情報処理手段と、記録単位の代表となる情報を前記情報処理手段によって前記記録媒体から復号し、復号された情報からメニュー情報を作成し、前記メニュー情報の一つを選択し、決定することによって、前記選択されたメニュー情報に関連する前記記録単位の画像を再生することができるユーザインタフェースメニューを作成して前記記録媒体に記録するメニュー処理手段とを備えることを特徴とする情報記録装置。
【請求項２】
請求項１記載の情報記録装置において、前記メニュー処理手段によって作成されるユーザインタフェースメニューの前記メニュー情報は記録単位の代表となる画像の縮小画像であり、前記縮小画像を選択して、決定することによって、前記縮小画像の記録単位の画像を再生することができることを特徴とする情報記録装置。
【請求項３】
請求項１記載の情報記録装置において、前記メニュー処理手段によって作成されるユーザインタフェースメニューの前記メニュー情報は文字列であり、前記文字列を選択して、決定することによって、前記文字列に対応する記録単位の画像を再生することができることを特徴とする情報記録装置。
【請求項４】
請求項１記載の情報記録装置において、前記メニュー処理手段は縮小画像又は文字列のいずれかを切替えることができることを特徴とする情報記録装置。
【請求項５】
請求項１乃至４のいずれかに記載の情報記録装置において、前記記録媒体は一度しか書き込むことができない記録媒体であることが特徴である情報記録装置。
【請求項６】
請求項１乃至５のいずれかに記載の情報記録装置において、映像の入力手段としてレンズとＣＣＤとを備え、携帯できることを特徴とする情報記録装置。
【請求項７】
請求項１、２、４、５又は６記載の情報記録装置において、前記一時管理情報の中に各記録単位を代表する縮小画像を記録し、この縮小画像をもとにユーザインタフェースメニューの縮小画像を作成することを特徴とする情報記録装置。
【請求項８】
請求項７の情報記録装置において、前記各記録単位を代表する縮小画像は前記記録媒体の前記一時管理情報以外の領域に記録することを特徴とする情報記録装置。
【発明の詳細な説明】
【技術分野】
【０００１】
本発明は情報記録装置に係り、特に、記録媒体に情報を記録する技術に関する。
【背景技術】
【０００２】
情報を記録処理するものとして、従来は、例えば、ＶＴＲに見られるように磁気テープを用いて、記録するものが知られていた。
一方、上記磁気テープとは異なる情報記録媒体として、円盤状の情報記録媒体を用いて、記録するものもある。
磁気テープに情報を記録するものは、連続的に情報を記録するものであるから、所望とする情報の読出し、再生においても連続的に行わなければならず、情報のアクセス速度が遅い。これに対して、円盤状の情報記録媒体に情報を記録するものでは、所望とする情報の読出し、再生を即座に可能とする、所謂ランダムアクセスが出来るので、情報のアクセス速度の速いという特徴がある。
【０００３】
さらに、ＤＶＤが媒体である市販の映画タイトル等では、そのＤＶＤをどのＤＶＤプレーヤで再生しても、同一のユーザインタフェースメニューがディスプレイに起動され、リモコンや本体装置のボタンで操作できる。
【発明の開示】
【発明が解決しようとする課題】
【０００４】
このように、市販のＤＶＤ自体には画像、タイトル等のユーザインタフェースメニューが情報として記録されている。一方、ＤＶＤプレーヤにはユーザインタフェースメニューの情報を復号して表示する機能が必須となっている。このため、どのＤＶＤプレーヤで再生しても、同一のユーザインタフェースメニューが起動される。
【０００５】
市販の映画タイトル等では、ＤＶＤに記録する情報の作成に要する時間は特に制限がない。つまり、リアルタイムでＤＶＤに記録する情報を作成し、ＤＶＤに記録する必要がない。  しかし、ムービーや据え置き型のビデオレコーダでは、リアルタイムで記録媒体に情報を記録し、最終的には、記録媒体に記録された情報の管理情報とユーザインタフェースメニューの情報も作成しなければならない。
【０００６】
本発明の目的は、使い勝手のよいユーザインタフェースメニューを作成することができる情報記録装置を提供することにある。
【課題を解決するための手段】
【０００７】
上記目的を達成するために、本発明による情報記録装置では、リアルタイムで記録媒体にＡＶストリームを記録しながら、その記録単位の一時的な管理情報を作成し、記録媒体に一時管理情報を記録する。最終的に、一時管理情報からすべてのＡＶストリームの管理情報を作成し記録媒体に記録する。さらに、記録単位の代表画像の縮小画像や記録単位を代表する文字列のメニュー情報の一覧が表示され、そのメニュー情報が選択され、決定されるとその記録単位が再生されるようなユーザインタフェースメニュー情報を、一時管理情報とＡＶストリームから作成し、記録媒体に記録するようにする。
【０００８】
さらに、ユーザインタフェースメニュー情報を作成する時間を短縮するために、ＡＶストリームから縮小画像を作成するのではなくて、リアルタイムでＡＶストリームを記録しているときに、一時管理情報の中に縮小画像を記録しておく。これによりＡＶストリームから縮小画像を作成する時間が短縮できる。
【発明の効果】
【０００９】
以上述べたように、本発明によれば、ユーザインタフェースメニューがサムネイルにより視覚的に表示され、そのサムネイルを選択して決定することによって、見たいシーンを直ちに再生することができる。
また、リアルタイムで記録している画像からサムネイルを作成して記録媒体に記録することで、ユーザインタフェースメニューの作成時間を短縮することができる。
【発明を実施するための最良の形態】
【００１０】
以下、本発明の実施の形態について、実施例を用い、図面を参照して説明する。  図１は本発明による情報記録装置の一実施例を示すブロック図である。図１に示す情報記録装置は、ＡＶストリーム処理部１０１、メニュー処理部１０２、管理情報処理部１０３、一時管理情報処理部１０４、記録媒体駆動処理部１０５、記録媒体１０６、制御部１０７、記録開始、記録終了ボタンを有するユーザインタフェース処理部１０８、ＡＶ情報の入力端子１１０から構成される。
【００１１】
まず、記録開始から記録終了までの、ＡＶストリームを記録媒体１０６に記録する処理について説明する。  ＡＶ情報の入力端子１１０から入力されたＡＶ情報は、ＡＶストリーム処理部１０１で符号化され、ＡＶストリームとして記録媒体駆動処理部１０５によって、記録媒体１０６に書き込まれる。ムービーや据え置き型のビデオレコーダでは、記録開始から終了までの間、ＡＶストリームは記録媒体１０６に書き込まれる。この装置においては、次のシーンのＡＶストリームを追加記録することができる。なお、シーンとは一般に記録開始から記録終了までを区切りを示すが、シーンは必ずしも、記録開始から記録終了までと限定することなく、ある単位の映像であればよい。
【００１２】
ＡＶストリーム記録中に、ＡＶストリーム処理部１０１から一時管理情報処理部１０４に情報が伝送される。一時管理情報処理部１０４では、記録終了時に一時管理情報を作成し、記録媒体駆動処理部１０５によって、一時管理情報が記録媒体１０６に書き込まれる。  この一時管理情報は、記録終了の都度、追加記録される。ユーザインタフェース処理部１０８の記録開始・終了ボタンを押すことによって、記録開始、或いは記録終了は情報が制御部１０７に伝達される。制御部１０７は、図１の点線で囲われた処理部１０９の各ブロックを一括制御する。
【００１３】
次に、記録媒体１０６に記録されたＡＶストリームを管理する管理情報と、ユーザインタフェースメニューを作成する処理について説明する。  他の再生装置との互換性を達成するために、記録媒体１０６に記録されたＡＶストリームを管理するための管理情報を、所定のフォーマットで作成し、記録媒体１０６に記録する必要がある。さらに、他の再生装置で同一のユーザインタフェースメニューを起動するためには、ユーザインタフェースメニュー情報も所定のフォーマットで作成して記録媒体１０６に記録する必要がある。このように、他の再生装置との互換性を達成するために、管理情報と、ユーザインタフェースメニュー情報とを作成して記録媒体１０６に記録することをファイナライズと呼ぶことにする。
【００１４】
図２はＡＶストリームにおけるタイトルとチャプタの構成を示す模式図である。図２に示すように、ＡＶストリームは＃１のタイトル２０１、＃２のタイトル２０２、…、＃ｎのタイトル２０３に分けられる。さらに、各タイトルは、チャプタの集合となる。たとえば、＃１のタイトル２０１は、＃１のチャプタ２０４、＃２チャプタ２０５、…、＃ｎのチャプタ２０６のフォルダである。タイトルの分け方に関しては、特に限定はしない。たとえば、同一の日付に記録されたチャプタ（シーン）を同一タイトルしてもよいし、チャプタ数が所定の個数を超えたらタイトルを分けてもよい。
【００１５】
まず、ファイナライズ時の管理情報の作成について説明する。一時管理情報はチャプタの記録中に記録媒体１０６に記録されるため、一時管理情報処理部１０４は、記録媒体１０６から一時管理情報を読み出し、管理情報の作成に必要な一時管理情報を管理情報処理部１０３に伝送する。一時管理情報としては、シーンのサイズ（容量）、再生時間、特殊再生するために必要な情報、位置情報等がある。管理情報処理部１０３は、この一時管理情報を、規格に合った正式な形式に合致した管理情報として作成し、記録媒体駆動処理部１０５によって、記録媒体１０６にこの管理情報を書き込む。
【００１６】
次に、ファイナライズのときの、ユーザインタフェースメニュー情報の作成について説明する。一時管理情報処理部１０４は、記録媒体１０６から一時管理情報を読み出し、この一時管理情報をメニュー処理部１０２に伝送する。ＡＶストリーム処理部１０１は、一時管理情報処理部１０４から各チャプタの代表となる画像が記録されている位置情報をもらい、記録媒体１０６から各チャプタの代表となる画像を読み出す。ここで言う、各チャプタの代表画像とは、たとえば、チャプタの先頭の画像であるが、特に限定する必要はない。さらに、各タイトルの代表となる画像、例えば各タイトルの先頭の画像についても、同様に、記録媒体１０６から読み出す。ＡＶストリーム処理部１０１で読み出された代表画像は、メニュー処理部１０２に伝送される。メニュー処理部１０２は、この代表画像と一時管理情報とで、ユーザインタフェースメニュー情報を作成する。
【００１７】
以下、ユーザインタフェースメニューの一例を、図３を用いて説明する。  図３はタイトルメニュー画面の一例を示す図である。図３のタイトルメニューの一例に示すように、ここではタイトル６個分を１ページとして、メニュー表示している。本発明では、１ページあたりのタイトル数に限定はなく、使い勝手のよい個数にすればよい。＃１タイトルのサムネイル３０１は＃１タイトルを代表する画像の縮小画像、＃２タイトルのサムネイル３０２は＃２タイトルを代表する画像の縮小画像というようになる。前ページ３０３は、このタイトルメニュー３０５の前ページにアクセスするためのボタン、次ページ３０４は、このタイトルメニュー３０５の次ページにアクセスするためのボタンであり、タイトルメニューが複数画面になる場合に必要となる。当然、当該画面がタイトルメニューの最初のページであれば、前ページ３０３はあってもなくてもよいし、当該画面がタイトルメニューの最終ページであれば、次ページ３０４はあってもなくてもよい。
【００１８】
タイトルのサムネイルを選択して決定すると、チャプタメニューが起動される。次に、図４を用いて、チャプタメニューの一例について説明する。  図４はチャプタメニュー画面の一例を示す図である。ここではチャプタ数６個分を１ページとして、メニュー表示している例であるが、１ページあたりチャプタ数に限定はなく、使い勝手のよい個数にすればよい。＃１チャプタのサムネイル４０１は＃１チャプタを代表する画像の縮小画像、＃２チャプタのサムネイル４０２は＃２チャプタを代表する画像の縮小画像というようになる。前ページ４０３は、このチャプタメニュー４０５の前ページにアクセスするためのボタン、次ページ４０４は、このチャプタメニュー４０５の次ページにアクセスするためのボタンであり、チャプタメニューが複数ページになる場合に必要となる。当該画面がチャプタメニューの最初のページであれば、前ページ４０３はあってもなくてもよいし、当該画面がチャプタメニューの最終ページであれば、次ページ４０４はあってもなくてもよい。チャプタのサムネイルを選択して決定すると、そのチャプタの映像が再生される。
【００１９】
図１のメニュー処理部１０２では、このように動作するユーザインタフェースメニュー情報を作成し、記録媒体駆動処理部１０５によって、記録媒体１０６に書き込む。  なお、ユーザインタフェースメニューの一例として、タイトルメニューであるタイトルのサムネイルを選択したとき、そのタイトルの先頭から再生がなされるようなデータ構造とすることもできる。  また、ユーザインタフェースメニューの一例として、タイトルメニューがなくて、チャプタメニューだけしかないようなデータ構造とすることもできる。
【００２０】
次に、図５及び図６を用いて、他のメニューについて説明する。  図５はタイトルメニューの他の実施例を示す図であり、図６はチャプタメニューの他の実施例を示す図である。  図３や図４では、代表となる画像からサムネイルを作成し、タイトルメニューやチャプタメニューを作成しているが、サムネイルを作成するのではなく、図５のタイトルメニュー５０１や図６のチャプタメニュー６０１のように、たとえば、タイトル名やチャプタ名といったテキスト情報のユーザインタフェースメニューであってもよい。このようにすれば、サムネイルを作成する時間が不要なので処理時間を短縮することができ、また、一画面あたりの表示タイトル数や表示チャプタ数も増やすことができる。
【００２１】
特に、サムネイルを作成するのに時間を要する部分は、ＡＶストリームを記録媒体１０６から読み出し復号する処理である。この処理を短縮するために、ＡＶストリームを記録媒体１０６に記録するときに、一時管理情報の内部にサムネイルの情報も一緒に記録するとよい。図７に、このような一時管理情報の例を示す。  図７は一時管理情報の構成の一実施例を示す模式図である。一時管理情報７０３は、一時管理データ作成用情報７０１とサムネイル作成用情報７０２によって構成される。このサムネイル作成用情報７０２は各タイトル、各チャプタのサムネイル情報をそのものであり、この情報からユーザインタフェースメニュー情報のサムネイルを作成すれば、ＡＶストリームから各タイトルや各チャプタの代表となる画像を読み出し復号する時間に比べ、短い時間でサムネイルを作成し、ユーザインタフェースメニュー情報を作成し、記録媒体１０６に記録することができる。  なお、サムネイル作成用情報７０２は、一時管理情報７０３の内部ではなくて、別領域に独立で存在してもよい。
【００２２】
また、メニュー処理部１０２は縮小画像又は文字列のいずれかを切替えてユーザインタフェースメニューを作成してもよい。  また、記録媒体１０６としては、一度しか書き込むことができない媒体を用いてもよい。  また、本発明の情報記録装置はレンズとＣＣＤを備えた携帯カメラである。
【００２３】
以上述べたように、本発明によれば、ユーザインタフェースメニューがサムネイルにより視覚的に表示され、そのサムネイルを選択して決定すると、見たいシーンが直ちに再生されるような使い勝手のよいユーザインタフェースメニューを記録媒体に作成することができる。
【００２４】
さらに、サムネイル情報を記録媒体に記録されたＡＶストリームから作成するのではなくて、リアルタイムで記録しているときにサムネイルとして、記録媒体に記録することで、ユーザインタフェースメニューの作成時間を短縮することができる。
【図面の簡単な説明】
【００２５】
【図１】本発明による情報記録装置の一実施例を示すブロック図である。
【図２】ＡＶストリームにおけるタイトルとチャプタの構成を示す模式図である。
【図３】タイトルメニュー画面の一例を示す図である。
【図４】チャプタメニュー画面の一例を示す図である。
【図５】タイトルメニューの他の実施例を示す図である。
【図６】チャプタメニューの他の実施例を示す図である。
【図７】一時管理情報の構成の一実施例を示す模式図である。
【符号の説明】
【００２６】
１０１…ＡＶストリーム処理部子、１０２…メニュー処理部、１０３…管理情報処理部、１０４…一時管理情報処理部、１０５…記録媒体駆動処理部、１０６…記録媒体、１０７…制御部、１０８…ユーザインタフェース処理部、１１０…ＡＶ情報の入力端子。
【図１】
2006271011.tif 000003
【図２】
2006271011.tif 000004
【図３】
2006271011.tif 000005
【図４】
2006271011.tif 000006
【図５】
2006271011.tif 000007
【図６】
2006271011.tif 000008
【図７】
2006271011.tif 000009
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
画像音声情報を入力する入力手段と、
前記入力手段で入力された画像音声情報を符号化してＡＶストリームを生成するＡＶストリーム生成手段と、
前記ＡＶストリーム生成手段から情報を受けて、ＡＶストリームに含まれるチャプタの容量情報、再生時間情報、特殊再生用情報、位置情報の少なくとも一つの情報とサムネイル画像とを含む一時管理情報を作成する一時管理情報作成手段と、
前記ＡＶストリーム生成手段で生成されたＡＶストリームと前記一時管理情報作成手段で作成された一時管理情報を記録媒体に記録する記録手段と、
再生装置と互換性を達成するファイナライズ処理を実行するときに、前記一時管理情報作成手段で作成された一時管理情報を基に規格形式に合致した管理情報及び前記サムネイル画像を含むユーザインタフェースメニュー情報を作成して前記記録手段で記録媒体に記録させるファイナライズ手段と、を有する情報記録装置。
【請求項２】
オーディオ情報、ビデオ情報を符号化して記録媒体に記録し、オーディオ符号化情報、ビデオ符号化情報を復号する情報処理手段と、
記録単位ごとの一時管理情報を前記記録媒体に対して読み書きをする一時管理情報処理手段と、
すべての記録単位の管理情報を作成して前記記録媒体に書き込みをする管理情報処理手段と、
記録単位の代表となる情報を前記情報処理手段によって前記記録媒体から復号し、復号された情報からメニュー情報を作成し、前記メニュー情報の一つを選択し、決定することによって、前記選択されたメニュー情報に関連する前記記録単位の画像を再生することができるユーザインタフェースメニューを作成して前記記録媒体に記録するメニュー処理手段と、を備える情報記録装置。